Podtech/llm-jp-corpus-v4-ja_patent huggingface dataset:
【手続補正書】
【提出日】平成17年4月7日(2005.4.7)
【手続補正１】
【補正対象書類名】特許請求の範囲
【補正対象項目名】請求項１
【補正方法】変更
【補正の内容】
【請求項１】
外部エネルギーを利用しない、空気を利用した無熱源発電システム
【手続補正２】
【補正対象書類名】明細書
【補正対象項目名】全文
【補正方法】変更
【補正の内容】
【発明の詳細な説明】
【発明の名称】無熱源発電システム
【技術分野】
【０００１】本発明は、エアータンク内を流動する空気力を利用し、タービンを駆動した発電に関する。
【背景技術】
【０００２】従来発電には何らかの外部エネルギーを利用しているが、環境・資源等々に関し、多々問題がある。
【発明の開示】
【発明が解決しようとする課題】
【０００３】上記の問題点を解決し、外部熱源エネルギーを利用せず（起動時はブースター電力使用）空気流動圧力を利用し、発電エネルギーを提供するためになされたものである。
【課題を解決するための手段】
【０００４】              上記問題を解決するため本発明は、上下に動作する上部を開放したオイルタンク内に上部中央の一部を開口し、底部を全開口したエアータンクを吊るし、オイルタンクを上下動して、エアータンク内に流動空気圧を発生させ、タービンを回転し発電する。
【発明の効果】
【０００５】本発明は、空気流動圧力発生装置で、発電に係わる無熱源の課題を解決し、半永久的に装置の運転が安定し、常温空気で装置の安全性を高め、駆動機械装置の耐久性が向上する。
【発明を実施するための最良の形態】
【０００６】図１・図２は、発電用タービン  ブレード  ディスク２を回転させる概略図である。オイル（不凍性）Oを上下動するオイル  タンク７に入れ、上部中央部を一部開口し、底部を全開口のエアータンク６を７に吊るし浸し、フレーム１１に固定し、７の上下動によって０液面が上下動して６内のエアーＡ圧力が増減する空気流動圧力発生装置である。【０００７】図３・図４は、７を上下動する図である。オイル  タンク  マウントベース１０に７を取り付け、１０を上下動させる仕組みで、エレべーション  ドライブ  モーター２４を起動し、この上下動を連続させ、２の回転を半永久的に繰り返す駆動装置である。２４の起動回転はブースター電力を使用し、２４が安定回転に到達するとブースター電力を自動的に遮断し、発電機２７の電力で駆動する。【０００８】図５は、空気流動圧力発生装置で発生するＡを利用して２を回転し、トルク  コンバーター２６を介して回転を安定させ、発電機２７で電気を発生させる一連の組合わせ図である。
【図面の簡単な説明】
【０００９】
【図１】空気流動圧力発生装置である。
【図２】空気流動圧力発生装置である。
【図３】空気流動圧力を発生する駆動装置である。
【図４】空気流動圧力を発生する駆動装置である。
【図５】タービン駆動の発電装置である。
【符号の説明】
【００１０】                  Ａ    エアー（外気）                  Ｏ    オイル（不凍性）                  １    タービン  シャフト                  ２    タービン  ブレード  ディスク                  ３    タービン  ケースィング                  ４    エアー  インテーク                  ５    エアー  フィルター                  ６    エアー  タンク                  ７    オイル  タンク                  ８    ダスト  フィルターＡ                  ９    ダスト  フィルターＢ                １０    オイルタンク  マウントベース（オイル  タンク固定用）                １１    フレーム（エアー  タンク固定用）                １２    エレべーション  ドライブ  シャフト                １３    エレべーション  ドリヴン  シャフト                １４    エレべーション  ローラー                １５    タイミング  ベルト  プーリー                １６    エレべーション  スプロケット  オイル                １７    タイミング  ベルト  テンション  プーリー                １８    タイミング  ベルト                １９    アタッチメント  ローラー  チェーン                ２０    エレべーション  ガイド  ポスト                ２１    ポスト  ブシュ                ２２    エレべーション  スライダー                ２３    リフティング  ブラケット（オイル  タンク  マウントベース）                ２４    エレべーション  ドライブ  モーター                ２５    カップリング                ２６    トルク  コンバーター                ２７    発電機
【手続補正３】
【補正対象書類名】図面
【補正対象項目名】図１
【補正方法】変更
【補正の内容】
【図１】
2005061722.tif 000001
【手続補正４】
【補正対象書類名】図面
【補正対象項目名】図２
【補正方法】変更
【補正の内容】
【図２】
2005061722.tif 000002
【手続補正５】
【補正対象書類名】図面
【補正対象項目名】図３
【補正方法】追加
【補正の内容】
【図３】
2005061722.tif 000003
【手続補正６】
【補正対象書類名】図面
【補正対象項目名】図４
【補正方法】追加
【補正の内容】
【図４】
2005061722.tif 000004
【手続補正７】
【補正対象書類名】図面
【補正対象項目名】図５
【補正方法】追加
【補正の内容】
【図５】
2005061722.tif 000005
【手続補正書】
【提出日】平成16年11月1日(2004.11.1)
【手続補正１】
【補正対象書類名】明細書
【補正対象項目名】発明の名称
【補正方法】変更
【補正の内容】
【発明の名称】光ディスク、光ディスク処理装置および光ディスク処理方法
【手続補正２】
【補正対象書類名】明細書
【補正対象項目名】特許請求の範囲
【補正方法】変更
【補正の内容】
【特許請求の範囲】
【請求項１】
欠陥セクタの代替としてのセクタを割り付けることが可能な予備領域を有する光ディスクであって、
再生可能領域に該光ディスクの記録再生動作を制御するための情報を有するコントロールデータ領域を含み、
記録再生可能領域に欠陥セクタの交替処理を制御するための情報を有する複数個の欠陥管理領域を含み、
前記欠陥管理領域に前記予備領域の先頭アドレスあるいはサイズをあらわす情報を含むことを特徴とする光ディスク。
【請求項２】
前記コントロールデータ領域に前記欠陥管理領域の位置を示す位置情報が記録され、前記位置情報は前記複数個の欠陥管理領域の先頭位置、数、あるいはサイズを含むことを特徴とする請求項１記載の光ディスク。
【請求項３】
前記コントロールデータ領域の先頭位置は光ディスクの記録可能容量に関わらず、常に同位置に配置されていることを特徴とする請求項１記載の光ディスク。
【請求項４】
請求項１記載の光ディスクを処理する光ディスク処理装置であって、前記光ディスクの初期化時に、前記予備領域のサイズを設定し、設定したサイズあるいは予備領域の先頭アドレスを前記欠陥管理領域に記録することを特徴とする光ディスク処理装置。
【請求項５】
記録領域が円周状の境界によって複数のグループに分割された記録可能な光ディスクであり、前記グループごとにトラック１周あたりのセクタ数が異なる光ディスクであって、前記光ディスクは、再生可能領域に光ディスクの記録再生動作を制御するための情報を有するコントロールデータ領域を含み、前記コントロールデータ領域は所定のグループに対するトラック数を求めるためのグループ番号に関する一次関数あるいは、所定のグループに対するセクタ数を求めるためのグループ番号に対する一次関数を表現するパラメータを有することを特徴とする光ディスク。
【請求項６】
記録領域が円周状の境界によって複数のグループに分割された記録可能な光ディスクであり、前記グループごとにトラック１周あたりのセクタ数が異なる光ディスクであって、前記光ディスクは、記録再生可能領域に欠陥セクタの交替処理を制御するための情報を有する複数個の欠陥管理領域を含み、前記欠陥管理領域は、所定のグループにおける予備領域のセクタ数を求めるためのグループ番号に関する一次又は二次関数のパラメータを含むことを特徴とする光ディスク。
【請求項７】
記録領域が円周状の境界によって複数のグループに分割された記録可能な光ディスクであり、前記グループごとにトラック１周あたりのセクタ数が異なる光ディスクであって、前記光ディスクは、記録再生可能領域に欠陥セクタの交替処理を制御するための情報を有する複数個の欠陥管理領域を含み、前記欠陥管理領域は、所定のグループ内に属する全セクタ数に対する予備領域に属するセクタ数の比率をあらわす情報を含むことを特徴とする光ディスク。
【請求項８】
記録領域が円周状の境界によって複数のグループに分割された記録可能な光ディスクであり、前記グループごとにトラック１周あたりのセクタ数が異なり、前記グループ毎にディスクの欠陥セクタの代替としてのセクタを割り付けることが可能な予備領域とユーザが情報を記録再生可能なユーザ領域とを有する光ディスクであって、論理アドレス値が０のセクタを含むグループにおけるユーザ領域のセクタ数に対する予備領域のセクタ数の比率を他のグループにおける比率よりも大きくなるように構成したことを特徴とする光ディスク。
【請求項９】
記録領域が円周状の境界によって複数のグループに分割された記録可能な光ディスクであり、前記グループごとにトラック１周あたりのセクタ数が異なり、前記グループ毎にディスクの欠陥セクタの代替としてのセクタを割り付けることが可能な予備領域とユーザが情報を記録再生可能なユーザ領域とを有する光ディスクであって、論理アドレス値が最小のセクタを含むグループにおけるユーザ領域のセクタ数に対する予備領域のセクタ数の比率及び、論理アドレス値が最大のセクタを含むグループにおける当該比率を他のグループにおける比率よりも大きくなるように構成したことを特徴とする光ディスク。
【請求項１０】
前記他のグループにおけるユーザ領域のセクタ数に対する予備領域のセクタ数の比率は、論理アドレスの小さい値を含むグループほど、大きくなるように構成したことを特徴とする請求項９または１０記載の光ディスク。
【請求項１１】
請求項１記載の光ディスクを処理する光ディスク処理方法であって、前記光ディスクの初期化時に、前記予備領域のサイズを設定し、設定したサイズあるいは予備領域の先頭アドレスを前記欠陥管理領域に記録することを特徴とする光ディスク処理方法。
【請求項１２】
請求項１記載の光ディスクを処理する光ディスク処理方法であって、
前記光ディスクにおけるコントロールデータ領域の情報を読み出し、
前記光ディスクにおける欠陥管理領域の情報を読み出し、
コントロールデータ領域の情報および欠陥管理領域の情報に基づいて、当該光ディスクのデータを再生する光ディスク処理方法。
【請求項１３】
請求項１記載の光ディスクを処理する光ディスク処理装置であって、
前記光ディスクにおけるコントロールデータ領域の情報を読み出し、
前記光ディスクにおける欠陥管理領域の情報を読み出し、
コントロールデータ領域の情報および欠陥管理領域の情報に基づいて、当該光ディスクのデータを再生する光ディスク処理装置。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
一端に基部を有する容器、容器内に収納された発光部および基部から導出されたリード線を備えた発光体と；細長い筒状部、筒状部の一端に形成したウエッジベース部、筒状部の他端の内部に形成された発光体の容器を支承する発光体支承座および発光体の容器の基部が偏平形状部を備えていて不所望な回動をしようとする場合に当該偏平形状部に当接して発光体の回動を抑止する回動抑止部、ならびに筒状部の内部に形成された内部空間を備えた高さ調整部材と；を具備していることを特徴とするランプ。
【請求項２】
高さ調整部材は、その一端のウエッジベース部が内部空間に連通するリード線挿通孔を備えていることを特徴とする請求項１記載のランプ。
【請求項３】
高さ調整部材は、その一端のウエッジベース部側の内部空間の端部にリード線挿通孔に集中する斜面を備えていることを特徴とする請求項２記載のランプ。
【請求項４】
高さ調整部材は、筒状部の外面から突出して軸方向に延在する凸条を備えていることを特徴とする請求項１ないし３のいずれか一記載のランプ。
【請求項５】
高さ調整部材は、合成樹脂成形体によって構成されていることを特徴とする請求項１ないし４のいずれか一記載のランプ。
【請求項６】
発光体支承座および回動抑止部は、共通の突起によって形成されていることを特徴とする請求項１ないし５のいずれか一記載のランプ。
【請求項７】
発光体は、容器が充実した透光性合成樹脂を主体としてなり、発光部が発光ダイオードチップである発光ダイオードからなり；高さ調整部材は、発光体支承座が発光体の容器を支承している；ことを特徴とする請求項１ないし６のいずれか一記載のランプ。
【請求項８】
ランプを支持するランプ支持部、ランプ支持部の回りに形成された鍔部、鍔部に当接された配線基板を鍔部と協働して挟持する挟持手段、ランプおよび配線基板のランドに接続する接触片を備えたウエッジベース形ランプソケットと；一端のウエッジベース部がランプ支持部に挿入されることによりランプ支持部に支持されるとともに、ウエッジベース部に添接されているリード線が接触片に接続する請求項１ないし７のいずれか一記載のランプと；を具備していることを特徴とするランプ装置。
【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
テストモードを有する半導体記憶装置であって、
複数のメモリセルを含み、各メモリセルに固有のアドレスが割当てられたメモリアレイ、
前記テストモード時に、外部クロック信号のパルス数をカウントし、そのカウント値によって複数の前記アドレスの各々を順次指定するカウンタ、および
前記カウンタによって指定されたアドレスのメモリセルと外部との間でデータの入出力を行なうデータ入出力手段を備える、半導体記憶装置。
【請求項２】
テストモードを有する半導体記憶装置であって、
予め所定数ずつグループ化された複数のメモリセルを含み、各メモリセルグループに固有のアドレスが割当てられたメモリアレイ、
前記テストモード時に、前記半導体記憶装置に入力された第１のクロック信号のパルス数をカウントし、前記メモリセルグループのアドレスを指定するための複数のアドレス信号を出力する直列接続された複数段のフリップフロップを含む第１のカウンタ、および
前記第１のカウンタから出力された複数のアドレス信号によって指定されるアドレスのメモリセルグループに属する所定数のメモリセルの各々にデータを書込む書込手段を備える、半導体記憶装置。
【請求項３】
さらに、前記テストモード時に、前記半導体記憶装置に入力された第２のクロック信号のパルス数をカウントし、前記メモリセルグループに属する所定数のメモリセルに書込むための所定数のデータを出力する直列接続された所定数段のフリップフロップを含む第２のカウンタを備え、
前記書込手段は、前記第１のカウンタから出力された複数のアドレス信号によって指定されるアドレスのメモリセルグループに属する所定数のメモリセルに、前記第２のカウンタから出力された所定数のデータをそれぞれ書込む、請求項２に記載の半導体記憶装置。
【請求項４】
前記第１および第２のクロック信号は、同一の外部クロック信号である、請求項３に記載の半導体記憶装置。
【請求項５】
前記第２のクロック信号は、前記第１のカウンタから出力された複数のアドレス信号のうちのいずれかの信号である、請求項３に記載の半導体記憶装置。
【請求項６】
さらに、行列状に配列され、前記メモリセルグループのアドレスを指定するための複数の外部アドレス信号と、前記メモリセルグループに属する所定数のメモリセルに書込むための所定数の外部データとを含む外部信号群を入力するための外部ピン群を備え、
前記書込手段は、通常動作時は、前記複数の外部アドレス信号によって指定されるアドレスのメモリセルグループに属する所定数のメモリセルに前記所定数の外部データをそれぞれ書込む、請求項２から請求項５のいずれかに記載の半導体記憶装置。
【請求項７】
テストモードを有する半導体記憶装置であって、
予め所定数ずつグループ化された複数のメモリセルを含み、各メモリセルグループに固有のアドレスが割当てられたメモリアレイ、
前記テストモード時に、前記半導体記憶装置に入力された外部クロック信号のパルス数をカウントし、前記メモリセルグループに属する所定数のメモリセルに書込むための所定数のデータを出力する直列接続された所定数段のフリップフロップを含むカウンタ、および
前記カウンタから出力された所定数のデータを複数の前記メモリセルグループのうちのいずれかのメモリセルグループに属する所定数のメモリセルにそれぞれ書込む書込手段を備える、半導体記憶装置。
【請求項８】
前記半導体記憶装置は、ＳＲＡＭである、請求項１から請求項７のいずれかに記載の半導体記憶装置。
【請求項９】
前記半導体記憶装置は、下面に外部ピンが行列状に配置されたパッケージを有する、請求項１から請求項８のいずれかに記載の半導体記憶装置。
【手続補正２】
【補正対象書類名】明細書
【補正対象項目名】００２０
【補正方法】変更
【補正の内容】
【００２０】
請求項２に係る発明は、テストモードを有する半導体記憶装置であって、メモリアレイ、第１のカウンタ、および書込手段を備える。メモリアレイは、予め所定数ずつグループ化された複数のメモリセルを含む。各メモリセルグループには固有のアドレスが割当てられている。第１のカウンタは、テストモード時に、半導体記憶装置に入力された第１のクロック信号のパルス数をカウントし、メモリセルグループのアドレスを指定するための複数のアドレス信号を出力する直列接続された複数段のフリップフロップを含む。書込手段は、第１のカウンタから出力された複数のアドレス信号によって指定されるアドレスのメモリセルグループに属する所定数のメモリセルの各々にデータを書込む。
【手続補正３】
【補正対象書類名】明細書
【補正対象項目名】００２１
【補正方法】変更
【補正の内容】
【００２１】
請求項３に係る発明では、請求項２に係る発明に、第２のカウンタがさらに設けられる。第２のカウンタは、テストモード時に、半導体記憶装置に入力された第２のクロック信号のパルス数をカウントし、メモリセルグループに属する所定数のメモリセルに書込むための所定数のデータを出力する直列接続された所定数段のフリップフロップを含む。書込手段は、第１のカウンタから出力された複数のアドレス信号によって指定されるアドレスのメモリセルグループに属する所定数のメモリセルに、第２のカウンタから出力された所定数のデータをそれぞれ書込む。
【手続補正４】
【補正対象書類名】明細書
【補正対象項目名】００２５
【補正方法】変更
【補正の内容】
【００２５】
請求項７に係る発明は、テストモードを有する半導体記憶装置であって、メモリアレイ、カウンタ、および書込手段を備える。メモリアレイは、予め所定数ずつグループ化された複数のメモリセルを含む。各メモリセルグループには固有のアドレスが割当てられている。カウンタは、テストモード時に、半導体記憶装置に入力された外部クロック信号のパルス数をカウントし、メモリセルグループに属する所定数のメモリセルに書込むための所定数のデータを出力する直列接続された所定数段のフリップフロップを含む。書込手段は、カウンタから出力された所定数のデータを複数のメモリセルグループのうちのいずれかのメモリセルグループに属する所定数のメモリセルにそれぞれ書込む。
【手続補正５】
【補正対象書類名】明細書
【補正対象項目名】００２６
【補正方法】変更
【補正の内容】
【００２６】
請求項８に係る発明では、請求項１から７のいずれかに係る発明の半導体記憶装置は、ＳＲＡＭである。
請求項９に係る発明では、請求項１から８のいずれかに係る発明の半導体記憶装置は、下面に外部ピンが行列状に配置されたパッケージを有する。
【手続補正書】
【提出日】平成16年12月13日(2004.12.13)
【手続補正１】
【補正対象書類名】明細書
【補正対象項目名】請求項６
【補正方法】変更
【補正の内容】
【請求項６】
前記調整手段は、
定電流発生回路と、
初期状態で前記定電流発生回路の出力電位を第１の所定値低くしたものを前記インバータへ供給する供給電位として与えるとともに、第１のヒューズを切断することによって前記出力電位を前記供給電位とする第１のヒューズ回路と、
初期状態で前記出力電位を前記供給電位とするとともに、第２のヒューズを切断することによって前記出力電位を第２の所定値低くしたものを前記供給電位とする第２のヒューズ回路とを含み、
前記動作電流は、前記供給電位に応じて増減される、請求項５に記載の半導体集積回路。
【手続補正２】
【補正対象書類名】明細書
【補正対象項目名】００２０
【補正方法】変更
【補正の内容】
【００２０】
請求項６に係る半導体集積回路は、請求項５に記載の半導体集積回路であって、調整手段は、定電流発生回路と、初期状態で定電流発生回路の出力電位を第１の所定値低くしたものをインバータへ供給する供給電位として与えるとともに、第１のヒューズを切断することによって上記出力電位を上記供給電位とする第１のヒューズ回路と、初期状態で上記出力電位を上記供給電位とするとともに、第２のヒューズを切断することによって上記出力電位を第２の所定値低くしたものを上記供給電位とする第２のヒューズ回路とを含み、上記動作電流は、上記供給電位に応じて増減されるものである。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
透過性の画像媒体の表面のアーティファクトを検出する方法であって、
（ａ）第１の光路に沿って、前記媒体の或る点を照らすよう照明を設けるステップと、
（ｂ）前記媒体の前記点を通る第２の光路に沿った光の強度を測定するステップであって、該第２の光路は、前記第１の光路とは異なっており、該第１の光路に沿った光が、前記媒体の前記点において、前記第２の光路に方向転換された結果として、該光の強度が測定されるようにするステップと、
（ｃ）前記ステップ（ｂ）で測定された前記強度を、予め定められた閾値と比較するステップと、
（ｄ）前記ステップ（ｃ）の比較の結果として、前記媒体の前記点を、該媒体の表面のアーティファクトとして識別するステップと、
を含む、方法。
【請求項２】
透過性の画像媒体の表面のアーティファクトを検出する方法であって、
（ａ）第１の光路に沿って、前記媒体の或る点を照らすよう照明を設けるステップと、
（ｂ）前記第１の光路に沿って前記点を通る光の強度を測定するステップと、
（ｃ）前記媒体の前記点を通る第２の光路に沿った光の強度を測定するステップであって、該第２の光路は、前記第１の光路とは異なっており、該第１の光路に沿った光が、前記媒体の前記点において、前記第２の光路に方向転換された結果として、該光の強度が測定されるようにするステップと、
（ｄ）前記ステップ（ｂ）で測定された前記強度と、前記ステップ（ｃ）で測定された強度との差を算出するステップと、
（ｅ）前記ステップ（ｄ）の結果を、予め定められた閾値と比較するステップと、
（ｆ）前記ステップ（ｅ）の比較の結果として、前記媒体の前記点を、前記媒体の表面のアーティファクトとして識別するステップと、
を含む、方法。
【請求項３】
イメージスキャナであって、
第１の光路に沿った或る点を通る光を受け取るよう適合された光検出器と、
前記点および前記第１の光路を通って前記光検出器に向かう光を提供するよう適合された第１の光源と、
前記点および第２の光路を通る光を提供するよう適合された第２の光源であって、該第２の光路は前記光検出器に向けられていない、第２の光源と、を備え、
前記第２の光源からの光の一部は、前記点において、前記第１の光路および前記光検出器に方向変換され、該点において、アーティファクトが識別される、
イメージスキャナ。
【手続補正書】
【提出日】平成16年8月24日(2004.8.24)
【手続補正１】
【補正対象書類名】明細書
【補正対象項目名】００２３
【補正方法】変更
【補正の内容】
【００２３】
本発明における負極体は、ホウ素を含有し、リチウムイオンを吸蔵、脱離しうる炭素材料を、バインダを有機溶媒に溶解した溶液に分散させてスラリを作製し、これを集電体に塗工して乾燥することにより得ることが好ましい。このとき、バインダとしてはポリフッ化ビニリデン、ポリアミドイミド樹脂又はポリイミド樹脂が好ましい。また、スラリ中のバインダは、加熱することにより重合してポリアミドイミド樹脂又はポリイミド樹脂となる、ポリアミドイミド樹脂の前駆体又はポリイミド樹脂の前駆体であってもよい。上記バインダを溶解させる有機溶媒は限定されないが、例えばＮ−メチル−２−ピロリドンが挙げられる。これら樹脂の耐熱温度は通常２００〜４００℃の範囲にあり耐熱性が高い。
【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
燃料ガス成分を含んだ排気ガスを燃料電池装置系外に排気する排気口が機械的に発生された空気流のあるところに位置している、ことを特徴とする燃料電池装置。
【請求項２】
燃料ガス成分を含んだ排気ガスを燃料電池装置系外に排気する排気口が、燃料電池本体に空気を供給するブロワ、燃料電池本体を冷却するラジエータファン、空気排気ガスから水分を分離する凝縮器のファン及び燃料電池本体の出力電圧により回転する車輪のいずれか一つにより発生された空気流のあるところに位置している、ことを特徴とする燃料電池装置。
【請求項３】
前記排気口はラジエータファンに対向している請求項１記載の燃料電池装置。
【請求項４】
空気極と燃料極とで電解質層を挟持した燃料電池本体と、
空気流を発生する空気流発生手段と、該空気流を導入して前記燃料電池本体の空気極に供給する空気導入路と、前記燃料電池本体の空気極より排出された空気排気ガスを系外に排気する空気排気ガス路とからなる空気供給系と、
前記燃料極に燃料ガスを供給する燃料供給系と、を有する燃料電池装置において、
前記燃料極より排出された燃料排気ガスを系外に排気する燃料排気ガス路の排気口が、前記空気供給系に向けて配置されていることを特徴とする燃料電池装置。
【手続補正２】
【補正対象書類名】明細書
【補正対象項目名】０００５
【補正方法】変更
【補正の内容】
【０００５】
【発明が解決しようとする課題】
この発明はかかる課題を解決すべくなされた。請求項１に記載の発明は以下の通りである。即ち、
燃料ガス成分を含んだ排気ガスを燃料電池装置系外に排気する排気口が機械的に発生された空気流のあるところに位置している、ことを特徴とする燃料電池装置である。
請求項２に記載の発明の燃料電池装置は次の通りである。即ち、
燃料ガス成分を含んだ排気ガスを燃料電池装置系外に排気する排気口が、燃料電池本体に空気を供給するブロワ、燃料電池本体を冷却するラジエータファン、空気排気ガスから水分を分離する凝縮器のファン及び燃料電池本体の出力電圧により回転する車輪のいずれか一つにより発生された空気流のあるところに位置している、ことを特徴とする燃料電池装置である。
請求項３に記載の発明の燃料電池装置は次の通りである。即ち、
燃料ガス成分を含んだ排気ガスを燃料電池装置系外に排気する排気口が機械的に発生された空気流のあるところに位置し、該排気口はラジエータファンに対向している、ことを特徴とする燃料電池装置である。
請求項４に記載の発明の燃料電池装置は次の通りである。即ち、
空気極と燃料極とで電解質層を挟持した燃料電池本体と、空気流を発生する空気流発生手段と、該空気流を導入して前記燃料電池本体の空気極に供給する空気導入路と、前記燃料電池本体の空気極より排出された空気排気ガスを系外に排気する空気排気ガス路とからなる空気供給系と、前記燃料極に燃料ガスを供給する燃料供給系と、を有する燃料電池装置において、前記燃料極より排出された燃料排気ガスを系外に排気する燃料排気ガス路の排気口が、前記空気供給系に向けて配置されていることを特徴とする燃料電池装置である。
【手続補正３】
【補正対象書類名】明細書
【補正対象項目名】０００６
【補正方法】変更
【補正の内容】
【０００６】
【発明の作用・効果】
請求項１に記載の発明によると、燃料ガス成分、即ち水素ガスを含んだ排気ガスが排気口から排出されると同時に、機械的に発生された空気流に巻き込まれる。そこで、水素ガスは空気流に沿って拡散され、排気口付近の水素濃度は限りなくゼロに近くなる。従って、排気ガスに含まれる水素ガスが原因となる異常反応は殆どなくなる。
請求項２に記載の発明によると、機械的空気流発生手段を排気口に対して専用に設ける必要がない。従って、装置の部品数を削減することができる。
請求項３に記載の発明によると、請求項２に記載の発明と同様の効果を奏する。
請求項４に記載の発明によると、排気口から排気された燃料排気ガスは空気供給系へ導入される。空気供給系に導入された燃料排気ガスは空気と混合されて空気極に到達する。空気極に到達した燃料排気ガスに含まれる水素ガスは触媒上で燃焼して水に転化する。これにより、排気ガスに含まれる水素ガス濃度を低下させることができる。従って、排気ガスに含まれる水素ガスが原因となる異常反応は殆どなくなる。
【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】
光源からの光を複数の記録層を有する記録媒体の所定の記録層の所定の位置に集光する集光手段と、
前記記録媒体の各記録層で反射され、前記集光手段により取り込まれた前記記録媒体のそれぞれの記録層からの反射光を前記光源から前記記録媒体に向かう光と分離する分離手段と、
この分離手段により分離された前記記録媒体の各記録層からの反射光を受光して光電変換し、光強度に対応する大きさの電気信号を出力する光電変換手段と、
を有し、
前記光電変換手段は、前記集光手段により取り込まれた前記記録媒体の各記録層からの反射光により前記光電変換手段上に投影されるビームスポットのうちの前記集光手段が合焦状態にある記録層と異なる記録層からの反射光によるビームスポットに対応する光電変換出力を相殺可能な形状の光検出領域を含むことを特徴とする光ヘッド装置。
【請求項２】
光源からの光を複数の記録層を有する記録媒体の所定の記録層の所定の位置に集光する集光手段と、
前記記録媒体の各記録層で反射され、前記集光手段により取り込まれた前記記録媒体のそれぞれの記録層からの反射光を前記光源から前記記録媒体に向かう光と分離する分離手段と、
前記記録媒体の半径方向に沿って規定される第１の線分と、この第１の線分と直交する第２の線分によって区分された４つの領域内に所定の形状に形成された第１ないし第４の４つの受光領域を含み、前記記録媒体の各記録層の反射光が前記集光手段により集光される際に、前記記録媒体の第１の記録層からの反射光のビームスポットを光電変換して得られる電気信号を相殺するとともに前記記録媒体の第２の記録層からの反射光のビームスポットを光電変換して得られる電気信号を、前記集光手段と前記記録媒体の第２の記録層との間の距離と前記集光手段により第２の記録層に集光されるビームスポットが所定のビーム径に集光される距離とを一致させるためのフォーカスずれ出力として出力する光電変換手段と、
を有することを特徴とする光ヘッド装置。
【請求項３】
光源からの光ビームを、第１および第２の記録層が積層されている記録媒体の選択されたいづれかの記録層の所定の位置に集光するレンズと、
前記記録媒体の上記選択された記録層および残りの記録層のそれぞれから反射され、前記レンズにより取り込まれた前記記録媒体のそれぞれの記録層からの反射光ビームを前記光源から前記記録媒体に向かう光と分離する分離手段と、
前記記録媒体の半径方向に沿って規定される第１の線分と、この第１の線分と直交する第２の線分によって区分された領域内に、上記第１の線分を境界として区分される前記記録媒体の記録面が回転される方向の上流側または下流側の一方の側に、前記記録媒体の記録面の半径方向の内周側あるいは外周側のそれぞれの領域の大きさが上記第２の線分により等しい大きさに区分されるよう設けられた第１の検出領域と、上記第２の線分を境界として区分される前記記録媒体の記録面の半径方向の内周側または外周側の一方の側に、前記記録媒体の記録面が回転される方向の上流側あるいは下流側のそれぞれの領域の大きさが上記第１の線分により等しい大きさに区分されるよう設けられた第２の検出領域と、上記第１の線分を境界として区分される前記記録媒体の記録面が回転される方向の下流側または上流側の一方の側に、前記記録媒体の記録面の半径方向の外周側または内周側のそれぞれの領域の大きさが上記第２の線分により等しい大きさに区分されるよう設けられた第３の検出領域と、上記第２の線分を境界として区分される前記記録媒体の記録面の半径方向の外周側または内周側の一方の側に、前記記録媒体の記録面が回転される方向の下流側もしくは上流側のそれぞれの領域の大きさが上記第１の線分により等しい大きさに区分されるよう設けられた第４の検出領域と、を有し、上記第１ないし第４の検出領域のそれぞれの面積は、等しく形成され、かつ上記第１ないし第４の検出領域の外周部は、前記レンズにより投影される光ビームのビームスポットに対して光学的に遮蔽されていて、前記記録媒体の上記選択された記録層からの反射光ビームのビームスポットを光電変換して得られる電気信号を前記レンズと前記記録媒体の上記選択された記録層との間の距離と前記レンズにより上記選択された記録層に集光されるビームスポットが所定のビーム径に集光される距離とを一致させるためのフォーカスずれ出力として出力するとともに、前記記録媒体の各記録層からの反射光ビームが前記レンズにより集光される際に前記記録媒体の上記残りの記録層からの反射光ビームのビームスポットを光電変換して得られる電気信号を上記第１および上記第３の検出領域相互の出力の差ならびに上記第２および上記第４の検出領域相互の出力の差を求めることで相殺する光電変換手段と、
を有することを特徴とする光ヘッド装置。
【手続補正書】
【提出日】平成16年4月23日(2004.4.23)
【手続補正１】
【補正対象書類名】明細書
【補正対象項目名】発明の名称
【補正方法】変更
【補正の内容】
【発明の名称】光情報記録装置、光情報記録方法、光情報記録媒体及び光ディスク製造方法
【手続補正２】
【補正対象書類名】明細書
【補正対象項目名】特許請求の範囲
【補正方法】変更
【補正の内容】
【特許請求の範囲】
【請求項１】
記録に供する第１の情報以外に第２の情報をレーザ光線を使ってディスク状記録媒体に記録する光ディスク記録装置において、
前記第１の情報に応じて変化する変調信号を生成する変調信号作製手段と、
前記第２の情報に従って時間的に変化する時間変化信号を作製する時間変化信号作成手段と、
前記時間変化信号に従って前記レーザの光量を変化させる光量変化手段と、
前記光量変化手段により得られるレーザ光を前記変調信号に従ってオンオフする光変調手段で構成され、
前記光変調手段によって得られるレーザ光を前記ディスク状記録媒体に照射することにより、前記第１と第２の情報を同一のピット列として前記ディスク状記録媒体上に記録することを特徴とする光情報記録装置。
【請求項２】
前記時間変化信号作製手段は、その出力電圧が時間と共にステップ状に変化していく信号となるように前記時間変化信号を作製することを特徴とする請求項１に記載の光情報記録装置。
【請求項３】
前記変調信号作製手段は、
第１の情報に応じて、所定の基本周期の整数倍の周期で信号レベルを切り替えることにより、第１の変調信号を生成する第１の変調信号作製手段と、
前記第１の変調信号の変化パターンを検出する変化パターン検出手段と、
前記時間変化信号及び前記変化パターンの両方に従って前記第１の変調信号の変化タイミングを補正し、第２の変調信号を作製するタイミング補正手段とで構成され、
前記変調信号作製手段からは前記第２の変調信号が出力されるように構成されていることを特徴とする請求項２に記載の光情報記録装置。
【請求項４】
前記タイミング補正手段は、
前記光記録媒体より得られる再生信号を所定のスライスレベルで２値化して２値化信号を生成した際に、前記基本周期を基準にして前記２値化信号が変化するように、前記変調信号のタイミングを補正するようになされている
ことを特徴とする請求項３に記載の光情報記録装置。
【請求項５】
前記タイミング補正手段は、
補正データ格納手段を有し、前記補正データ格納手段に格納した補正データに従って、前記変調信号のタイミングを補正し、
前記補正データは、評価用の光記録媒体の再生結果に基づいて設定されることを特徴とする請求項４に記載の光情報記録装置。
【請求項６】
前記補正データは、評価用の光記録媒体の再生結果及び、再生結果の補間演算に基づいて設定されることを特徴とする請求項５に記載の光情報記録装置。
【請求項７】
記録に供する第１の情報以外に第２の情報をレーザービームを光変調して光記録媒体上に照射することによりピットを形成して記録する光情報記録方法において、
前記第１の情報を主に前記レーザビームをオンオフさせることにより記録し、
前記第２の情報を主に前記レーザビームの光強度を変化させることにより記録し、
前記レーザビームの光強度変化が時間的に緩やかに行われるようにして前記光記録媒体上に記録することを特徴とする光情報記録方法。
【請求項８】
前記レーザビームをオンオフさせるタイミングは、前記第１の情報及び前記レーザビームの光強度の両方に従って調整されるようになされていることを特徴とする請求項７に記載の光情報記録方法。
【請求項９】
第１と第２の情報がピット列として記録されていて、前記ピット列上にレンズにより集光されたレーザ光線を照射することにより記録された情報が読み出されるようになされている光情報記録媒体において、
前記第１の情報は主に前記ピットの長さ及び位置を変化させることにより記録されていて、
前記第２の情報は主に前記ピットの幅を変化させることにより記録されていて、
前記第２の情報によるピット幅の変化は段階的になされていることを特徴とする光情報記録媒体。
【請求項１０】
前記ピットの長さ及び位置は、少なくとも前記ピットの長さ、前記ピットの前後に記録されたピットのパターン、及び前記ピット幅により微調整されていることを特徴とする請求項９に記載の光情報記録媒体。
【請求項１１】
前記第２の情報は、前記光ディスクを目視したときに２次元の画像情報として認識されるようになされていることを特徴とする請求項１０に記載の光情報記録媒体。
【請求項１２】
記録に供する第１の情報以外に第２の情報をレーザービームを光変調して光ディスク上に照射することによりピットを形成して記録する原盤露光工程により生成される原盤を用いて光ディスクを製造する光ディスク製造方法において、
前記第１の情報を主に前記レーザビームをオンオフさせることにより記録し、前記第２の情報を主に前記レーザビームの光強度を変化させることにより記録し、前記レーザビームの光強度変化が時間的に緩やかに行われるようにして前記光ディスク上に記録する原盤の露光工程と、
前記原盤を現像した後、電鋳処理することにより、マザーディスクを作成するマザーディスク作成工程と、
前記マザーディスクよりスタンパーを作成するスタンパー作成工程と、
前記スタンパーよりディスク状基板を作成し、前記ディスク状基板に反射膜、保護膜を形成して光ディスクを作成する膜形成工程と
を備えたことを特徴とする光ディスク製造方法。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
表面に第１の信号線が形成された第１の回路基板と、該第１の信号線に対向するように第２の信号線が形成された第２の回路基板と、これら第１及び第２の信号線を電気的に接続する接続部材と、を備えた回路基板の接続構造において、
前記第１の信号線が、その接続部において一の部分と他の部分とに電気的に絶縁された状態に分断され、かつ、
前記一の部分と他の部分とが共に前記接続部材を介して前記第２の信号線に接続されている、
ことを特徴とする回路基板の接続構造。
【請求項２】
前記第１の回路基板に一の補助信号線を形成し、かつ、
該一の補助信号線が、前記一の部分に電気的に接続されると共に前記第２の回路基板と干渉しない位置にまで延設された、
ことを特徴とする請求項１に記載の回路基板の接続構造。
【請求項３】
前記一の補助信号線における前記第２の回路基板と干渉しない位置に第１検査用端子を配置した、
ことを特徴とする請求項２に記載の回路基板の接続構造。
【請求項４】
前記第１の回路基板に他の補助信号線を形成し、かつ、
該他の補助信号線が、前記他の部分に電気的に接続されると共に前記第２の回路基板と干渉しない位置にまで延設された、
ことを特徴とする請求項１乃至３のいずれか１項に記載の回路基板の接続構造。
【請求項５】
前記他の補助信号線における前記第２の回路基板と干渉しない位置に第２検査用端子を配置した、
ことを特徴とする請求項４に記載の回路基板の接続構造。
【請求項６】
前記接続部材が異方性導電接着剤である、
ことを特徴とする請求項１乃至５のいずれか１項に記載の回路基板の接続構造。
【請求項７】
前記接続部材がハンダである、
ことを特徴とする請求項１乃至５のいずれか１項に記載の回路基板の接続構造。
【請求項８】
前記第１の回路基板が、液晶素子の周辺に配置された周辺回路基板であり、かつ、
前記第２の回路基板が、前記周辺回路基板と前記液晶素子との間に配置されたフレキシブルな回路基板である、
ことを特徴とする請求項１乃至７に記載の回路基板の接続構造。
【請求項９】
第１の回路基板の表面に形成された第１の信号線、及び該第１の信号線に対向するように第２の回路基板に形成されると共に前記第１の信号線に接続部材を介して電気的に接続された第２の信号線の両信号線が適正に接続されているか否かを判断する接続状態判断方法において、
前記第１の信号線が、一の部分と他の部分とに電気的に絶縁された状態に分断されたものであり、
前記一の部分又は前記他の部分のいずれか一方から任意の波形の信号を入力すると共に、その他方において信号波形を測定し、かつ、
前記入力した信号波形と前記測定した信号波形との比較から、前記第１の信号線と前記第２の信号線との接続状態を判断する、
ことを特徴とする接続状態判断方法。
【請求項１０】
第１の回路基板の表面に形成された第１の信号線、及び該第１の信号線に対向するように第２の回路基板に形成されると共に前記第１の信号線に接続部材を介して電気的に接続された第２の信号線の両信号線が適正に接続されているか否かを判断する接続状態判断方法において、
前記第１の信号線が、一の部分と他の部分とに電気的に絶縁された状態に分断されたものであり、
前記一の部分と前記他の部分との間の抵抗値を測定し、かつ、
該測定した抵抗値から前記第１の信号線と前記第２の信号線との接続状態を判断する、
ことを特徴とする接続状態判断方法。
【請求項１１】
表面に複数の第１の信号線が形成された第１の回路基板と、該第１の信号線に対向するように複数の第２の信号線が形成された第２の回路基板と、これら第１及び第２の信号線を電気的に接続する接続部材と、を備えた回路基板の接続構造において、
前記複数の第１の信号線のうち少なくとも端部に配置されている信号線が、その接続部において一の部分と他の部分とに電気的に絶縁された状態に分断され、かつ、
前記一の部分と他の部分とが共に前記接続部材を介して前記第２の信号線に接続されている、
ことを特徴とする回路基板の接続構造。
【手続補正書】
【提出日】平成16年6月14日(2004.6.14)
【手続補正１】
【補正対象書類名】明細書
【補正対象項目名】発明の名称
【補正方法】変更
【補正の内容】
【発明の名称】入力装置および携帯電子装置
【手続補正２】
【補正対象書類名】明細書
【補正対象項目名】特許請求の範囲
【補正方法】変更
【補正の内容】
【特許請求の範囲】
【請求項１】
座標入力部を有する座標入力装置、前記座標入力部側に位置して複数の入力箇所が表示された操作面、複数のスイッチが並列接続されてスイッチ面上に配列されてなるスイッチ装置が積み重ねられ、前記複数のスイッチの位置が前記複数の入力箇所の位置に対応するように構成された本体装置と、
前記座標入力装置及び前記スイッチ装置からの信号に基づき、前記入力箇所が操作された場合に該入力箇所の指示項目に応じた項目信号が生成される第１モードまたは前記入力箇所の表示項目とは無関係に前記操作面上における操作位置の位置信号が生成される第２モードのうちのいずれか一方を選択自在な制御装置とを具備してなり、
前記第１モードでは、前記座標入力装置が出力する絶対座標信号と、前記スイッチ装置が出力するスイッチ信号とに基づいて前記項目信号が生成され、
前記第２モードでは、前記座標入力装置が出力する相対座標信号に基づいて前記位置信号が生成されることを特徴とする入力装置。
【請求項２】
前記スイッチ装置の全てのスイッチが等価のスイッチ信号を出力することを特徴とする請求項１に記載の入力装置。
【請求項３】
前記第１モードにおける前記絶対座標信号は、前記複数の入力箇所のうち操作された入力箇所の位置を前記座標入力部が検知することにより生成され、前記スイッチ信号は、前記入力箇所が操作された際の押圧力により該入力箇所に対応するスイッチが操作されて生成されることを特徴とする請求項１または請求項２に記載の入力装置。
【請求項４】
前記第２モードにおける前記相対座標信号は、前記操作面上おける前記操作位置を前記座標入力部が検知することにより生成されることを特徴とする請求項１または請求項２に記載の入力装置。
【請求項５】
種々のメニューを表示する表示パネルと、操作者の指等で表面に接触して移動操作することにより入力する平面シート入力部と、前記入力部からの信号を処理して前記表示パネルに送信する制御部と、前記表示パネルと前記入力部とを収納して操作者が把持するケースとを備え、前記入力部の操作でメニューを選択することを特徴とする携帯電子装置。
【請求項６】
前記平面シート入力部は、樹脂シートの表裏に電極を形成した静電容量式からなることを特徴とする請求項５に記載の携帯電子装置。
【手続補正３】
【補正対象書類名】明細書
【補正対象項目名】００１４
【補正方法】変更
【補正の内容】
【００１４】
係る入力装置によれば、相対座標信号が、操作面上おける操作位置を座標入力部が検知することにより生成されるので、操作面に触れるだけで相対座標信号を生成させることができ、操作性が向上して誤操作の防止が可能になる。
本発明の携帯電子機器は、種々のメニューを表示する表示パネルと、操作者の指等で表面に接触して移動操作することにより入力する平面シート入力部と、前記入力部からの信号を処理して前記表示パネルに送信する制御部と、前記表示パネルと前記入力部とを収納して操作者が把持するケースとを備え、前記入力部の操作でメニューを選択することを特徴とする。
本発明において、前記平面シート入力部は、樹脂シートの表裏に電極を形成した静電容量式からなるものでも良い。
【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
プリンタを動作させるための方法であって、文書をファイルに書き込むステップと、手続きを使用して、ページ記述言語のためのコマンドのシーケンスに前記ファイルを翻訳するステップと、前記ページ記述言語コマンドをページ記述言語インタープリタに送るステップとを含む方法。
【請求項２】
文書内の認識されないコマンドに応答してエラーメッセージを受け取るステップをさらに含む請求項１に記載の方法。
【請求項３】
文書が、ＰＤＦ文書およびＨＴＭＬ文書を含む一群の文書から選択された型の文書である請求項１に記載の方法。
【請求項４】
手続きがページ記述言語で書かれた請求項１に記載の方法。
【請求項５】
ページ記述言語がＰｏｓｔＳｃｒｉｐｔ（商標）である請求項４に記載の方法。
【請求項６】
前記ファイルによって参照されるファイルを、ネットワークを介して入手するステップをさらに含む請求項１に記載の方法。
【請求項７】
コンピュータ可読命令を有するコンピュータ可読媒体上に実現されたページ記述言語であって、装置によって実行されたとき、前記装置に文書内の認識されないコマンドに応答させ、ページ記述言語によって使用されるためのコマンドのシーケンスに前記文書を翻訳させ、かつ前記ページ記述言語によって使用されるためのコマンドの前記シーケンスをページ記述言語インタープリタに送らせるページ記述言語。
【請求項８】
文書が、ＰＤＦ文書およびＨＴＭＬ文書を含む一群の文書から選択された型の文書である請求項７に記載のページ記述言語。
【請求項９】
エラーハンドラがページ記述言語で書かれた請求項７に記載のページ記述言語。
【請求項１０】
装置にさらに、前記ファイルによって参照される少なくとも１つの追加ファイルを、コンピュータネットワークを介して入手させる請求項７に記載のページ記述言語。
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
ネットワーク(102)においてネットワークデバイス(110)の能力の利用を容易化する方法であって、
前記ネットワークと通信するネットワークデバイスの属性を決定し、
ジョブを処理するためのネットワークデバイスの所望の属性をユーザが選択することを可能にし、
該ユーザにより選択された前記所望の属性に対応する前記ネットワークデバイスのうちの１つにおける前記ジョブの処理を容易化する、
という各ステップを含む方法。
【請求項２】
前記ネットワークデバイスのうちの１つにおける前記ジョブの処理を容易化する前記ステップが、
前記ユーザにより選択された前記所望の属性に対応する情報を受信し、
前記ユーザにより選択された前記所望の属性に対応する属性を有するネットワークデバイスの選択肢を前記ユーザに提供し、
該ネットワークデバイスの選択肢により提供される前記ネットワークデバイスのうち前記ジョブを処理するための１つのネットワークデバイスをユーザが選択することを可能にする、
という各ステップを含む、請求項１に記載の方法。
【請求項３】
ジョブを処理するためのネットワークデバイスの所望の属性をユーザが選択することを可能にする前記ステップが、
前記ユーザにネットワークデバイスの選択肢を提供し、
該ユーザにより選択されたネットワークデバイスに対応する情報を受信し、
該ユーザにより選択されたネットワークデバイスに対応する属性を該ユーザに提供する、
という各ステップを含む、請求項１に記載の方法。
【請求項４】
ネットワークデバイスの所望の属性をユーザが選択することを可能にする前記ステップが、
該ユーザに対して表示するためのグラフィカルユーザインタフェイス(510,610)を提供し、該グラフィカルユーザインタフェイスが、前記ネットワークのネットワークデバイスが有する属性に対応する属性(520)の選択肢を含む、請求項１に記載の方法。
【請求項５】
前記ネットワークデバイスがプリンタであり、前記ジョブがプリントジョブである、請求項３に記載の方法。
【請求項６】
ネットワークデバイスの属性を決定する前記ステップが、
プリント要求の開始に対応するユーザからの情報を受信し、
該情報の受信に応じて前記ネットワークと通信するネットワークデバイスの属性を決定する、
という各ステップを含む、請求項５に記載の方法。
【請求項７】
ネットワーク(102)においてネットワークデバイス(110)の能力の利用を容易化するコンピュータプログラムを有するコンピュータ読出可能媒体であって、該コンピュータ読出可能媒体が、
前記ネットワークと通信するネットワークデバイスの属性を決定するよう構成されたロジックと、
ジョブを処理するためのネットワークデバイスの所望の属性をユーザが選択することを可能にするように構成されたロジックと、
前記ユーザにより選択された前記所望の属性に対応する前記ネットワークデバイスのうちの１つにおいて前記ジョブの処理を容易化するよう構成されたロジックと
を備えている、コンピュータ読出可能媒体。
【請求項８】
前記ネットワークデバイスの１つにおいて前記ジョブの処理を容易化するよう構成された前記ロジックが、
前記ユーザにより選択された前記所望の属性に対応する情報を受信するよう構成されたロジックと、
該ユーザにより選択された前記所望の属性に対応する属性を有するネットワークデバイスの選択肢を該ユーザに提供するよう構成されたロジックと、
前記ジョブを処理するための前記ネットワークデバイスの選択により提供される前記ネットワークデバイスのうちの１つを前期ユーザが選択することを可能にするよう構成されたロジックと
を備えている、請求項７に記載のコンピュータ読出可能媒体。
【請求項９】
ネットワーク(102)においてネットワークデバイス(110)の能力の利用を容易化するシステムであって、
前記ネットワークと通信するネットワークデバイスの属性を決定する手段(100)と、
ジョブを処理するためのネットワークデバイスの所望の属性をユーザが選択することを可能にする手段(100)と、
前記ユーザにより選択された前記所望の属性に対応する前記ネットワークのうちの１つにおける前記ジョブの処理を容易化する手段(100)と
を備えているシステム。
【請求項１０】
ネットワークデバイス(110)の能力の利用を容易化するシステムであって、
ネットワーク(102)と通信するユーザインタフェイスシステム(100)を提供し、該ユーザインタフェイスシステム(100)が、前記ネットワークと通信するネットワークデバイスの属性を決定するよう構成され、及びジョブを処理するためのネットワークデバイスの所望の属性をユーザが選択することを可能にするよう構成されたユーザインタフェイス(510，610)を提供し、これにより、前記ユーザにより選択された所望の属性に対応する前記ネットワークデバイスのうちの１つにおける前記ジョブの処理を容易化する、システム。